(57)【要約】      （修正有）【課題】壁面上における防カビ及び容器の外側板上の汚れを軽減し、更に壁面上への着脱を容易成らしめた三角型の掛け置き式容器を提供する。【解決手段】（ａ）浴室の入り隅状コーナーの壁面上に設置する三角型の容器と壁面との間に５ｍｍ〜２５ｍｍの間隙を形成して、乾きやすくした金属製の三角型の容器を用いる。金属は、水中でもイオンを放出しやすいために防カビ効果がある。（ｂ）浴室の入り隅状のコーナーの壁面上に三角型掛け置き容器用のビス、又は、鋲釘をその頭部部分を壁面から少し出して他は埋め込んで固定しておいて、そこへ三角型容器を掛け置いて用いる。【選択図】図１
0003112654.tif 000002
【実用新案登録請求の範囲】
【請求項１】
入り隅状コーナーの壁面上に設置する三角型の容器と当該壁面との間に通気用の間隙を形成して、当該三角型の容器と当該壁面を乾きやすくしたコーナー壁面用の防カビ対策の為のコーナー壁面用三角型容器。
【請求項２】
入り隅状コーナーの壁面上に、掛け置き設置する三角型容器用のビス、又は、鋲、釘等の引っ掛け金具の頭部の部分を、その目的を達しうる長さだけ出して他は壁面中に埋め込んで固定しておき、そこへ当該三角型容器を掛け置いたり、外したりして用いる着脱式のコーナー壁面用三角型容器。
【考案の詳細な説明】
【技術分野】
【０００１】本案は、浴室やシャワー室の入り隅状コーナー壁面上に設置して、物を搭載又は収納する為の着脱式三角型容器に関するものである。
【背景技術】
【０００２】コーナー用吊り戸棚や置き戸棚は、従来、いくつかあったが浴室やシャワー室の壁面用上の着脱式三角型容器は見かけない。又、コーナー用吊り戸棚や置き戸棚を浴室やシャワー室に持ち込んで使用するとしても、吊り戸棚や置き戸棚自体の磨き掃除をする場合、当該容器以外の余分の付属品までも磨き掃除をしなければならないので、磨き掃除の効率がわるい。又、吊り戸棚や置き戸棚は、その使用中における揺らぎや振動の為に壁面や床面を傷つけやすく、更に構造上の簡便さに欠けるという欠点があった。
【特許文献】  特開２００２−２２３８７１
【考案の開示】
【考案が解決しようとする課題】
【０００３】（イ）  浴室やシャワー室の入り隅状コーナー用の三角型の容器は、壁面や床面を傷つけることも無い構造や形状のものにすること。
更に、当該容器や接触壁面の汚れやカビの付着を、構造や形状の改変によってできるだけ防止、又は軽減することは衛生上必要なことであり、その為の材質を考慮すること。
（ロ）  時々浴室や当該容器の磨き掃除をする際の効率を能くすることも大切な要件であるが、低コストで製造できるような簡素で、且つ、当該容器が機能性にも富む考案内容であること。
【課題を解決するための手段】
【０００４】（イ）  浴室やシャワー室の入り隅状コーナーの壁面上に設置する三角型の容器と壁面との間に間隙を形成し、通気性を能くして乾きやすくすることにより防カビ効果を高める。又、表面が平滑な金属製の三角型の容器を用いることによって防カビ効果を一層高めることも可能である。
（ロ）  コーナーの壁面上に三角型掛け置き容器用のビス、又は、鋲釘をその頭部部分は、その目的を果たしうるだけを壁面から出して他は埋め込んで固定しておいて、そこへ当該三角型容器を掛け置いて用いるが、後方部の両側板とコーナーの壁面との間に適宜な間隙空間を形成して防カビ効果を高める。
（ハ）  当該容器やその後方部の壁面の汚れやカビを落とすときは、当該三角型容器を壁面から外して掃除できるように、着脱式の構成になっている三角型容器を提供する。
【考案の効果】
【０００５】本案を使用すると、防カビの効果及び浴室や当該容器の磨き掃除が、容易且つ効率能くできる。金属は、水滴が付着するとイオンを放出しやすいために防カビ効果もあるので、試作品は主として金属のステンレ・ススチール製のものを用いたが、その効果が認められた。
又、当該容器の中へ入れておく物の種類ごとに、必要に応じて数段の掛け置き式の着脱設置にすることもできる。
更に、コーナー部分の壁面上に設置するので、浴室空間やシャワー室空間を比較的に広く、且つ有効的に使用する上で何らの支障もない。
尚、当該容器の後方部の側面と壁面との間に５ｃｍ〜２５ｃｍの間隙空間を形成しているので通気性がよく、当該容器とその周辺部の壁面が乾きやすくて一層の防カビ効果がある。
【考案を実施するための最良の形態】
【０００６】    以下、本考案の実施の形態を説明する。
（イ）  浴室の入り隅状コーナー用の、本案の三角型掛け置き容器（１１）は、錆やカビに強く、且つ硬いステンレス・スチールが理想的であるが、アルミ製や真鍮製やその他プラスチック製でも木製やセラミック製でもよい。
（ロ）  本体の容器（１１）は、前面部の収納物の脱落防止板（１）の左右端部（１５）と、後方部の二枚のコの字型の隔壁安定板（３）の一部分である外側板（１０’’）の左右端部（１５’）（１５’’）とを型板の平板（１２）の裏面側方向に折り曲げて、三枚重ねにして、当該脱落防止板（１）の左右の端縁部（１’’）の上下二か所のスポット溶接部（２）で溶着させることによって形成される三面（１）、（１０’）、（１０’’）の壁面と底面（６）とで囲まれた三角型の容器である。
（ハ）  金属製の当該三角容器の材質が硬い板の場合や材料の厚さが比較的に厚い板の場合には、両外側板（１０’）のスポット溶接用部分（１５’）を切除して省略してもよい。
（ニ）  当該脱落防止板（１）の下端縁（１’’’）と直角三角形の形状をした底部（６）の斜辺部との境界部分には、幅２ｍｍ〜３ｍｍの細長い水滴流出口（５）を設けてあり、尚、底部（６）の直角の頂点部にも、縦方向の後部水滴流出口（５’）を設けてある。
（ホ）  隔壁部（１０）の上底面の幅が２０ｍｍ〜２５ｍｍである隔壁部（１０）の二枚の外側板（１０’）の各々下方部の適宜二が所に、引き掛け用案内切り込み（４）を施してあり、当該コーナーの適宜の壁面（７）には、当該案内切り込み（４）の為の引っ掛け金具（８）が嵌まり込むだけの余地を残して埋め込んである。当該引っ掛け金具（８）に引っ掛け用案内切り込み（４）を嵌め込んで当該容器（１１）を掛け置くようにしてある。
（ヘ）  収納物の脱落防止板（１）の上端部は、安全の為に当該脱落防止板（１）の背面側に折り返し部（１’）を施して丸味をつけてある。
（ト）  深さ約５０ｍｍの当該容器（１１）の隔壁部（１０）の形成の仕方は、図８のような型板の平板（１２）の破線部分（１３）、（１３’）、（１３’’）（１３’’’）に沿って順次折り曲げて図５、図７のようなコの字型を形成して防カビ用空間（９）を施してある。
（チ）  収納物の脱落防止板（１）の高サは隔壁部（１０）の上端面よりも上方へ２０ｍｍ〜３０ｍｍ長くしてある。更に、当該脱落防止板（１）の左右両端縁（１’’）はコーナーの壁面（７）にピッタリと接するような寸法にしてある。
又、必要に応じてゴムカバー（１４）を装着してある。
本案の入り隅状のコーナー壁面用の三角型容器は以上のような構造と形態を有する。
【図面の簡単な説明】
【０００７】
【図１】  本案の見取図である。
【図２】  本案の正面図である。
【図３】  本案の背面図である。
【図４】  コーナーの壁面上に本案の容器を設置したときの平面図である。
【図５】  本案の底面図である。
【図６】  本案の右側面図である。
【図７】  本案のＣ−Ｃ断面図である。
【図８】  コの字型の隔壁安定板（３）を形成する直前の折り目付き型板の平板である。
【符号の説明】
【０００５】  １        収納物の脱落防止板
１’      収納物の脱落防止板上端の折り返し部
１’’    収納物の脱落防止板の左右の端縁
１’’’  収納物の脱落防止板の下端部
２        スポット溶接部
３        隔壁安定板
４        引っ掻け用案内切り込み
５        前部水滴出口
５’      後部水滴出口
６        底板
７        入り隅状のコーナーの壁面
８        壁面上の引っ掛け金具
９        防カビ用空間
１０        隔壁部
１０’      隔壁部の内側板
１０’’’  隔壁部の外側板
１１        本案の三角型容器
１２        型板の平板
１３        第一の折り目（破線）
１３’      第二の折り目（破線）
１３’’    第三の折り目（破線）
１３’’’  第四の折り目（破線）
１４        ゴムカバー
１５        内側板１０’のスポット溶接用部分
１５’      外側板１０’’のスポット溶接用部分
【図１】
0003112654.tif 000003
【図２】
0003112654.tif 000004
【図３】
0003112654.tif 000005
【図４】
0003112654.tif 000006
【図５】
0003112654.tif 000007
【図６】
0003112654.tif 000008
【図７】
0003112654.tif 000009
【図８】
0003112654.tif 000010